(57)【要約】【課題】スロットコアを有して構成された光ファイバケーブルであって、スロットコアをシース内から取り出し、再び収納することを繰り返し行っても、シースがスロットコアの開口部を確実に覆うことができるようになされた光ファイバケーブルを提供する。【解決手段】ケーブル長手方向に沿う直線状のスロット溝３に光ファイバ１を収納して保持するスロットコア４と、このスロットコア４全体を被覆する円筒状のシース６とを備え、スロットコア４は、スロット溝３の開口部５の両側となる位置に、それぞれ係合突条４ａを有しており、シース６は、内面部に各係合突条４ａが係合する凹部６ａを有し、これら凹部６ａに各係合突条４ａを係合されることにより、スロットコア４を保持している。【選択図】図１
2011203491.tif 000002
【特許請求の範囲】
【請求項１】
光ファイバと、
ケーブル長手方向に沿う直線状のスロット溝を有し、このスロット溝に前記光ファイバを収納して保持するスロットコアと、
前記スロット溝の開口部を含めて前記スロットコア全体を被覆する円筒状のシースと
を備え、
前記スロットコアは、前記スロット溝の開口部の両側となる位置に、それぞれ係合突条を有しており、
前記シースは、内面部に、前記各係合突条が係合する凹部を有しており、これら凹部に前記各係合突条を係合されることによって、前記スロットコアを保持している
ことを特徴とする光ファイバケーブル。
【請求項２】
前記各係合突条に係合する前記凹部は、前記シースの一部を除去して前記スロット溝内の前記光ファイバを取り出すときに、前記シースの除去されずに残る部分に設けられている
ことを特徴とする請求項１記載の光ファイバケーブル。
【請求項３】
前記各係合突条の高さは、０．３ｍｍ乃至１．０ｍｍである
ことを特徴とする請求項１、または、請求項２記載の光ファイバケーブル。
【発明の詳細な説明】
【技術分野】
【０００１】
本発明は、光ファイバをスロットコアに収納しシースで被覆した光ファイバケーブルに関する。
【背景技術】
【０００２】
光ファイバケーブルは、一般的に、光ファイバを内部に収納するスロット溝を有したスロットコアと、このスロットコアの周囲を被覆するシースとから構成されている。特許文献１には、ＳＺ撚り溝を有するスロットコアを有する光ファイバケーブルが記載されている。ＳＺ撚り溝は、スロットコアの外周面に、螺旋状に形成された溝である。
【０００３】
また、特許文献２及び特許文献３には、図６に示すように、光ファイバ１０１を内部に収納する１つのスロット溝１０２を備えたＣスロットコア１０３と、このＣスロットコア１０３の周囲を被覆するシース１０４とから構成された光ファイバケーブルが記載されている。Ｃスロットコア１０３のスロット溝１０２は、Ｃスロットコア１０３の一側部に開口して直線状に形成された溝である。この光ファイバケーブルにおいては、スロット溝１０２に対応する部分でのシース１０４の肉厚が、他の部分でのそれよりも厚くなっており、偏心シース構造が採られている。
【０００４】
Ｃスロットコア１０３には、スロット溝１０２の開口部の反対側となる位置に、テンションメンバ（抗張力体）１０５が内装されている。このテンションメンバ１０５は、直線状に設けられている。
【０００５】
このような光ファイバケーブルにおいては、特許文献４に記載されているように、シース１０４を引き裂いてＣスロットコア１０３及び光ファイバ１０１を取り出して分岐などの作業を行った後、シース１０４内へのＣスロットコア１０３及び光ファイバ１０１の再収納を容易とした光ファイバケーブルが提案されている。この光ファイバケーブルにおいては、図６に示すように、シース１０４にノッチ１０４ａを設けて容易に引き裂けるようにし、図７に示すように、任意の光ファイバ１０１のみを取り出した後に、シース１０４によりＣスロットコア１０３の開口部を覆うことができるようにして、他の光ファイバ１０１を再収納するようにしたものである。
【先行技術文献】
【特許文献】
【０００６】
【特許文献１】特開平８−２１１２６１号公報
【特許文献２】特開２００８−０７６８９７号公報
【特許文献３】特開２００８−０７６８９８号公報
【特許文献４】特開２００９−２３７５３７号公報
【発明の概要】
【発明が解決しようとする課題】
【０００７】
ところで、前述した特許文献４に記載された光ファイバケーブルにおいては、図７中の（ｂ）に示すように、シース１０４内にＣスロットコア１０３を戻す再収納を繰り返すと、図７中の（ｃ）に示すように、シース１０４が伸びた状態に塑性変形してしまい、Ｃスロットコア１０３を把持する力が弱くなる虞がある。このような状態になると、シース１０４がＣスロットコア１０３から浮き上がり、Ｃスロットコア１０３の開口部を覆うことができなくなる虞がある。
【０００８】
そこで、本発明は、前述の実情に鑑みて提案されるものであって、スロットコアを有して構成された光ファイバケーブルであって、スロットコアをシース内から取り出し、再び収納することを繰り返し行っても、シースがスロットコアの開口部を確実に覆うことができるようになされた光ファイバケーブルを提供することを目的とする。
【課題を解決するための手段】
【０００９】
前述の課題を解決し、前記目的を達成するため、本発明に係る光ファイバケーブルは、以下の構成のいずれか一を有するものである。
【００１０】
〔構成１〕
光ファイバと、ケーブル長手方向に沿う直線状のスロット溝を有しこのスロット溝に光ファイバを収納して保持するスロットコアと、スロット溝の開口部を含めてスロットコア全体を被覆する円筒状のシースとを備え、スロットコアは、スロット溝の開口部の両側となる位置にそれぞれ係合突条を有しており、シースは、内面部に各係合突条が係合する凹部を有しておりこれら凹部に各係合突条を係合されることによってスロットコアを保持していることを特徴とするものである。
【００１１】
〔構成２〕
構成１を有する光ファイバケーブルにおいて、各係合突条に係合する凹部は、シースの一部を除去してスロット溝内の光ファイバを取り出すときに、シースの除去されずに残る部分に設けられていることを特徴とするものである。
【００１２】
〔構成３〕
構成１、または、構成２を有する光ファイバケーブルにおいて、各係合突条の高さは、０．３ｍｍ乃至１．０ｍｍであることを特徴とするものである。
【発明の効果】
【００１３】
本発明に係る光ファイバケーブルは、構成１を有することにより、スロットコアは、スロット溝の開口部の両側となる位置にそれぞれ係合突条を有しており、シースは、内面部に各係合突条が係合する凹部を有しておりこれら凹部に各係合突条を係合されることによってスロットコアを保持しているので、シースは、スロットコアの取り出し及び再収納の繰り返しにより伸びたとしても、スロットコアの開口部を確実に覆うことができる
すなわち、本発明は、スロットコアを有して構成された光ファイバケーブルであって、スロットコアをシース内から取り出し、再び収納することを繰り返し行っても、シースがスロットコアの開口部を確実に覆うことができるようになされた光ファイバケーブルを提供することができるものである。
【図面の簡単な説明】
【００１４】
【図１】本発明の実施の形態に係る光ファイバケーブルの構成を示す断面図である。
【図２】本発明の実施の形態に係る光ファイバケーブルの各係合突条及び各凹部を形成するべき位置を示す断面である。
【図３】本発明の実施の形態に係る光ファイバケーブルの各係合突条の高さを示す断面図である。
【図４】本発明の実施の形態に係る光ファイバケーブルにおける中間後分岐作業の手順を示す斜視図である。
【図５】本発明の実施の形態における中間後分岐作業の前後における光ファイバケーブルの状態を示す断面図である。
【図６】従来の光ファイバケーブルの構成を示す断面図である。
【図７】従来の光ファイバケーブルにおける中間後分岐作業の前後における状態を示す断面図である。
【発明を実施するための形態】
【００１５】
以下、本発明を実施するための形態について、図面を参照して詳細に説明する。
【００１６】
図１は、本発明の実施の形態に係る光ファイバケーブルの構成を示す断面図である。
【００１７】
本発明の実施の形態に係る光ファイバケーブルは、図１に示すように、光ファイバ１と、ケーブル長手方向（図１中のＺ軸方向）に沿う直線状のスロット溝３を有しこのスロット溝３に光ファイバ１を収納して保持するスロットコア４と、スロット溝３の開口部５を含めてスロットコア４全体を被覆する円筒状のシース（被覆）６とを備える。そして、この光ファイバケーブルは、ケーブル長手方向に沿ってスロットコア４に内装された直線状のテンションメンバ７とを備える。
【００１８】
光ファイバ１には、光ファイバ素線、光ファイバ心線、光ファイバテープ心線などが用いられる。光ファイバ素線は、光ファイバの上に紫外線硬化樹脂を被覆したものである。光ファイバ心線は、光ファイバの上にプラスチック樹脂を被覆してその直径を光ファイバ素子よりも大としたものである。光ファイバテープ心線は、光ファイバ素線を平行に数本並べて紫外線硬化樹脂で被覆したものである。
【００１９】
この実施の形態では、光ファイバ１として光ファイバテープ心線を用い、その光ファイバテープ心線を複数本（６本）スロット溝３内に収納している。光ファイバ１とスロット溝３の内壁との間は、干渉材が介在されていてもよいし、空隙であってもよい。
【００２０】
スロットコア４は、光ファイバ１をスロット溝３内に収納して保持する（外周が略円筒形状の）保持部材であり、光ファイバケーブルの中心線からずれた位置に中心線を有する円筒状スロット溝３を有している（ただし、図１においては、スロットコア４及びスロット溝３を構成する各円筒形の上部は切り取られている）。このスロットコア４は、金型に樹脂を流して成形する押出し成形により形成され、長手方向に垂直な断面形状がＣ形の形状となっている。このスロットコア４は、肉厚が均一ではなく、開口部５が形成された部位から（スロットコア４の外周に沿って）開口部５とは反対側の部位へ行くにしたがって徐々にその肉厚が厚くなっている。逆の見方をすれば、スロットコア４は、スロット溝３の底部に対応する部位から開口部５が形成された部位に行くにしたがって徐々にその肉厚が薄くなっている。
【００２１】
また、スロットコア４には、光ファイバケーブルを施設した場所で受ける熱等の影響でシース６が熱収縮して光ファイバケーブル自体が変形するのを抑制するために、テンションメンバ（抗張力体）７が内装（埋め込み）されている。テンションメンバ７は、例えば、鋼線やＦＲＰ等の断面円形状の直線状の線材からなり、スロットコア４の最も肉厚とされた部位（すなわちスロットコア４の円筒中心を挟んで、開口部５が形成された部位（図１における上部）と反対側の部位（図１における底部））に内装されている。
【００２２】
シース６は、円筒状のチューブとして形成されている。かかるシース６は、光ファイバ１を収納したスロットコア４の周囲全体をポリエチレン樹脂で被覆するようにして形成する押し出し成形により形成される。なお、シース６の成形時には、スロット溝３内にシース用ポリエチレン樹脂が入り込まないようにするため、押さえテープを貼り付けることにより、スロット溝３の開口部５を塞ぐ。
【００２３】
このようにして形成されるシース６は、スロット溝３の開口部５と対向する部位（図１における上部）６ｃで最も肉厚とされ、スロットコア４の外周に沿って、底部へ行くに従って徐々に肉薄となり、（テンションメンバ７が埋設された）スロットコア４の最底部に隣接する部位である最底部６ｄに於いて最も肉薄となるように成形されている。
【００２４】
シース６の最底部６ｄには、一対の溝条のノッチ６ｂ，６ｂが形成されている。シース６は、これらノッチ６ｂ，６ｂにおいて容易に切り裂くことができ、スロットコア４を取り出すことが可能となっている。
【００２５】
そして、スロットコア４は、スロット溝３の開口部５の両側となる位置に、それぞれ係合突条４ａ，４ａを有している。また、シース６の内面部には、各係合突条４ａ，４ａが係合する凹部６ａ，６ａが形成されている。これら凹部６ａ，６ａには、各係合突条４ａ，４ａが係合している。シース６は、各凹部６ａ，６ａに各係合突条４ａ，４ａを係合させることにより、スロットコア４を保持している。
【００２６】
図２は、本発明の実施の形態に係る光ファイバケーブルの各係合突条及び各凹部を形成するべき位置を示す断面である。
【００２７】
各係合突条４ａ，４ａが係合する凹部６ａ，６ａは、図２に示すように、後述するように、シース６の一部（一対のノッチ６ｂ，６ｂの間の部分）を除去してスロット溝３内の光ファイバ１を取り出すときに、除去されずに残る部分に設けられている。
【００２８】
図３は、本発明の実施の形態に係る光ファイバケーブルの各係合突条の高さを示す断面図である。
【００２９】
また、図３に示すように、各係合突条４ａ，４ａの高さは、０．３ｍｍ乃至１．０ｍｍとなっている。
【００３０】
図４は、本発明の実施の形態に係る光ファイバケーブルにおける中間後分岐作業の手順を示す斜視図である。
【００３１】
この光ファイバケーブルにおいて、中間後分岐作業を行うには、図４中の（ａ）に示すように、切裂き工具であるナイフ１０の刃先を、シース６の所定箇所において、ケーブル長手方向に垂直な方向に入れて、ケーブル周方向に沿って切り欠きを入れる。すなわち、ナイフ１０により、シース６を輪切りにする。このように、シース６を輪切りにする作業（操作）を、シース６の長手方向における所定の箇所において行う。ナイフ１０により切り込む深さは、シース６の外周面からスロットコア４の表面に達する深さとする。ナイフ１０の刃先をこの切れ込み深さの位置で維持して、ケーブル周方向に沿って該ナイフ１０を回すことにより、シース６を輪切りにする。
【００３２】
このようにシース６を輪切りにするときには、スロットコア４の開口部５にナイフ１０が入り込んで、スロット溝３内に収納された光ファイバ１を傷つけないように細心の注意を払う必要があるが、この光ファイバケーブルにおいては、開口部５に対応する部分のシース６の肉厚が厚いため、ナイフ１０が必要以上の深さに入り込むことが防止される。
【００３３】
次に、図４中の（ｂ）に示すように、シース６の輪切りした箇所より、一対のノッチ６ｂ，６ｂにおいてシース６を縦裂きする。そして、図４中の（ｃ）に示すように、シース６を、一対のノッチ６ｂ，６ｂの上側部分と、一対のノッチ６ｂ，６ｂ間の部分とに分離させる。このようにシース６を縦裂きして分離させることにより、スロット溝３の開口部５より、スロット溝３内の任意の光ファイバ１を外方に引き出すことができる。
【００３４】
そして、図４中の（ｄ）に示すように、シース６を縦裂きした区間の一対のノッチ６ｂ，６ｂ間の部分を除去するとともに、一対のノッチ６ｂ，６ｂの上側部分をスロットコア４を覆う状態に戻す。
【００３５】
図５は、本発明の実施の形態における中間後分岐作業の前後における光ファイバケーブルの状態を示す断面図である。
【００３６】
このような中間後分岐作業において、光ファイバケーブルは、図５中の（ａ）に示すように、作業前の通常の状態から、図５中の（ｂ）に示すように、作業中には、スロットコア４がシース６の外方に引き出される。そして、作業後には、図５中の（ｃ）に示すように、スロットコア４がシース６内に戻される。
【００３７】
この光ファイバケーブルにおいては、中間後分岐作業が繰り返され、シース６が伸びた状態に塑性変形しても、各係合突条４ａ，４ａが各凹部６ａ，６ａ係合するので、シース６がスロットコア４から浮き上がることがなく、スロットコア４の開口部３が確実に覆われる。
【００３８】
なお、係合突条４ａ，４ａの数は、開口部５の両側に各１条ずつに限定されず、それぞれに複数の係合突条を設けてもよい。
【００３９】
係合突条４ａ，４ａの高さは、以下の〔表１〕に示すように、１ｍｍを越えると、シース６の外観に係合突条４ａ，４ａ形状（凸形状）が現われ外観が悪化するので好ましくない。また、０．３ｍｍ未満とすると、シース６の把特性が不十分となる虞がある。
【表１】
2011203491.tif 000003
【産業上の利用可能性】
【００４０】
本発明は、光ファイバをスロットコアに収納しシースで被覆した光ファイバケーブルに適用される。
【符号の説明】
【００４１】
１    光ファイバ
３    スロット溝
４    スロットコア
４ａ  係合突条
５    開口部
６    シース
６ａ  凹部
７    テンションメンバ（抗張力体）
【図１】
2011203491.tif 000004
【図２】
2011203491.tif 000005
【図３】
2011203491.tif 000006
【図４】
2011203491.tif 000007
【図５】
2011203491.tif 000008
【図６】
2011203491.tif 000009
【図７】
2011203491.tif 000010